(57)【特許請求の範囲】
【請求項１】
液透過性の表面シート、液不透過性の防漏シート、及び液保持性の吸収体を具備し、腹側部及び背側部それぞれの両側縁部同士が接合されて、ウエスト開口部及び一対のレッグ開口部が形成されているパンツ型の吸収性物品において、
前記腹側部及び／又は前記背側部における着用者の胴回りに位置する胴回り部に、立体ガードが形成されており、該立体ガードは、複数本の立体ガード弾性部材が配されて、胴回り方向に伸縮可能になされており、
外層材を有しており、前記表面シート、前記防漏シート及び前記吸収体が一体化されて縦長の吸収性本体が形成されており、該吸収性本体は、その長手方向を前記外層材の長手方向に一致させて、該外層材に接合されており、
前記立体ガードは、複数本の前記立体ガード弾性部材を備えた立体ガード形成用のシート材が、前記吸収性物品の前記ウエスト開口縁部側から股下部方向に向けて配されて形成されており、
前記立体ガード形成用の前記シート材における、前記立体ガードの左右の側部固定端よりも左右外方に位置する部分が、それぞれ、その全域に亘って前記吸収性本体又は前記外層材上に固定されている吸収性物品。
【請求項２】
前記立体ガードは、その左右両側の側部固定端が、それぞれ、前記吸収体の左右両側縁端の近傍に位置している請求項１記載の吸収性物品。
【請求項３】
複数本の前記立体ガード弾性部材の内の全部又は一部は、前記腹側部及び前記背側部の両側縁部同士が接合されて形成された左右のサイド接合部間に亘るように配されている請求項１又は２記載の吸収性物品。
【請求項４】
前記腹側部及び／又は前記背側部における前記吸収体よりも前記吸収性物品の外面側に、複数本の胴回り部弾性部材がそれぞれ胴回り方向に沿って伸長状態で配されている請求項１〜３の何れかに記載の吸収性物品。
【請求項５】
前記立体ガードと、前記吸収性物品の厚み方向において、該立体ガードの外側に位置する部材との間に隙間が形成されている請求項４記載の吸収性物品。
【請求項６】
複数本の前記立体ガード弾性部材は、展開状態の吸収性物品長手方向における前記立体ガードの全幅に亘るように配されている請求項１〜５の何れかに記載の吸収性物品。
【請求項７】
前記立体ガード形成用の前記シート材における、前記立体ガードの端部固定端よりも該ウエスト開口縁部側の外方に位置する部分が、その全域に亘って前記吸収性本体又は前記外層材上に固定されている請求項１〜６の何れかに記載の吸収性物品。
【発明の詳細な説明】
【０００１】
【発明の属する技術分野】
本発明は、モレ防止性に優れた使い捨ておむつ等のパンツ型の吸収性物品に関する。
【０００２】
【従来の技術及び発明が解決しようとする課題】
一般に使い捨ておむつは、液透過性の表面シート、液不透過性の防漏シート、及び液保持性の吸収体を具備し、着用時に着用者の腹側に位置する腹側部と、背側部に位置する背側部と、その間に位置する股下部とに分かれている。
近年、腹側部の側縁部と背側部の側縁部とを互いに接合固定して左右一対のレッグ開口部及び一つのウエスト開口部を形成した、いわゆるパンツ型の使い捨ておむつが提案されており（特開昭６１−２０７６０５号）、はいはいや歩行等動きが活発になった子供用や、幼児のおむつ離れを促進するためのトイレットトレーニング用、失禁者や歩行可能な成人用等の種々な用途に用いられている。
【０００３】
斯かるパンツ型の使い捨ておむつにおけるウエスト開口部からの便や尿のモレを防止するために、本出願人は着用者の胴回りに位置する胴回り部に立体ガードを形成したパンツ型おむつを提案している（特開平４−３５４９４８号公報）。
【０００４】
このおむつにおける立体ガードでは、立体ガードとおむつ本体の間にポケットが形成され排泄物を捕捉できるものの、着用者の運動・体位や着用している衣類等の圧力により、ポケットが場合によっては潰れやすいという難点があった。
【０００５】
従って、本発明の目的は、潰れにくいポケットが形成され、ウエスト開口部からの便や尿のモレを効果的に防止することができる、モレ防止性に優れた使い捨ておむつ等のパンツ型の吸収性物品を提供することにある。
【０００６】
【課題を解決するための手段】
本発明は、液透過性の表面シート、液不透過性の防漏シート、及び液保持性の吸収体を具備し、腹側部及び背側部それぞれの両側縁部同士が接合されて、ウエスト開口部及び一対のレッグ開口部が形成されているパンツ型の吸収性物品において、前記腹側部及び／又は前記背側部における着用者の胴回りに位置する胴回り部に、立体ガードが形成されており、該立体ガードは、複数本の立体ガード弾性部材が配されて、胴回り方向に伸縮可能になされており、外層材を有しており、前記表面シート、前記防漏シート及び前記吸収体が一体化されて縦長の吸収性本体が形成されており、該吸収性本体は、その長手方向を前記外層材の長手方向に一致させて、該外層材に接合されており、前記立体ガードは、複数本の前記立体ガード弾性部材を備えた立体ガード形成用のシート材が、前記吸収性物品の前記ウエスト開口縁部側から股下部方向に向けて配されて形成されており、前記立体ガード形成用の前記シート材における、前記立体ガードの左右の側部固定端よりも左右外方に位置する部分が、それぞれ、その全域に亘って前記吸収性本体又は前記外層材上に固定されている吸収性物品を提供することにより、前記目的を達成したものである。
【０００７】
【発明の実施の形態】
以下、本発明の吸収性物品の好ましい一実施形態について詳細に説明する。
第１の実施形態の吸収性物品としての使い捨ておむつ（以下、単におむつともいう）１は、図１及び２に示すように、液透過性の表面シート２、液不透過性の防漏シート３及び液保持性の吸収体４を具備する実質的に縦長の吸収性本体１０と、該吸収性本体１０が接合固定された外層材１１とからなる、パンツ型の吸収性物品である。
【０００８】
本実施形態の使い捨ておむつ1 は、着用者の腹側に配される腹側部Ａと背側に配される背側部Ｂとその間に位置する股下部Ｃとを有し、該腹側部Ａの両側縁Ａ１，Ａ２と背側部Ｂの両側縁Ｂ１，Ｂ２とが互いに接合されて、ウエスト開口部５及び一対のレッグ開口部６が形成されている。着用者のウエスト回りに位置するウエスト部Ｄには、複数のウエスト部弾性部材５１が周方向に向けて配されて、ウエストギャザーが形成され、胴回りに位置する胴回り部Ｅには、複数の胴回り部弾性部材５２が周方向に向けて配されて、胴回りギャザーが形成されている。ここで、ウエスト部Ｄは、通常、ウエスト開口縁部５３から１０ｍｍ幅の範囲内の帯状領域を意味し、胴回り部Ｅは、該ウエスト部Ｄよりもおむつ１の長手方向の中央線Ｃ１寄りに位置する部分を意味する。
【０００９】
表面シート２、防漏シート３及び吸収体４は、それぞれ、長方形状であり、一体化されて縦長の吸収性本体１０を形成している。吸収性本体１０は、図２に示す如く、その長手方向を外層材１１の長手方向に一致させて、外層材１１の中央部に接合固定されている。おむつ１の長手方向及び外層材１１の長手方向とは、それぞれ、おむつを図２（ａ）に示すように平面状に展開させた状態における腹側部Ａと背側部Ｂとを結ぶ方向を意味する。
【００１０】
外層材１１は、少なくとも二枚の不織布、即ち外層不織布１２と該外層不織布１２の内面側に配された内層不織布１３とを有している。外層材１１は、おむつの外形を形成しており、外層材１１を構成する外層不織布１２はおむつ１の外面をなし、内層不織布１３は外層不織布１２の内面側に、ホットメルト粘着剤等の接着剤によって接合されている。外層材１１には、その一対のレッグ開口部形成部それぞれに、該レッグ開口部形成部の縁部に沿って湾曲させてレッグ部弾性部材６１が配されている。ウエスト部弾性部材５１及びレッグ部弾性部材６１は、それぞれ、外層不織布１２と内層不織布１３とにより狭持固定されている。
【００１１】
而して、本実施形態のおむつ１における腹側部Ａ及び背側部Ｂそれぞれの着用者の胴回りに位置する胴回り部Ｅ，Ｅには、それぞれ立体ガードが形成されており、各立体ガード７，７には、複数本の立体ガード弾性部材７１が配され、各立体ガード７，７が胴回り方向に伸縮可能になされている。
各立体ガード７は、複数本の立体ガード弾性部材７１を備えた立体ガード形成用のシート材７２が、おむつ１のウエスト開口縁部５３側から股下部Ｃ方向に向けて配されて形成されている。
【００１２】
立体ガード形成用のシート材７２は、おむつの内面側に折り返した外層材１１を形成する一枚又は二枚以上のシートであっても良く、本実施形態のおむつ１の背側部Ｂにおいては、図３に示すように、外層不織布１２をウエスト開口縁部５３においておむつの内面側に折り返し、その折り返し部１５が立体ガード７形成用のシート材として用いられている。
立体ガード７は、外層材１１を形成するシート材とは別体のシート材により形成されていても良く、本実施形態のおむつ１の腹側部Ａにおいては、図４に示すように、外層不織布１２とは異なるシート７２ｂにより立体ガード７が形成されている。立体ガード７を、外層材１１形成用のシート材とは別体の材料を用いて形成すると、外層材１１が具備する機能とは異なる機能、例えば吸汗機能を備えた立体ガード等を容易に形成することができるので好ましい。
【００１３】
複数本の立体ガード弾性部材７１は、立体ガード７に１０ｍｍ以上の幅（Ｗ１，図３，４参照）に亘って配されていることが好ましい。本実施形態における各立体ガード７には、複数本の立体ガード弾性部材７１，７１・が、おむつ１の長手方向の幅の全幅に亘るように配されており、各立体ガードは、おむつ１の長手方向の全幅に亘って、胴回り方向（胴回りの周方向）に伸縮性を有している。
【００１４】
立体ガード弾性部材７１としては、図３又は４に示す如く、立体ガードの自由端７３に、その自由端縁に沿って端部弾性部材７１ａを配すると共に、該端部弾性部材７１ａと平行に弾性部材間に所定の間隔を設けて他の弾性部材７１ｂを配することが好ましい。
立体ガード弾性部材７１の立体ガード形成用のシート材７２への固定方法としては、ホットメルト型接着剤や、熱によるシール等を用いることができ、特に図３及び図４にそれぞれ示す如く、立体ガード形成用のシート材７２を自由端７３において吸収性本体１０側に折り返すことによりシート折り返し部を形成し、該シート折り返し部の層間に、立体ガード弾性部材７１を挟持させるようにして固定することが好ましい。このようなシート折り返し部を形成することで、モレ防止効果をより向上させることができる。
【００１５】
複数本の立体ガード弾性部材７１は、立体ガードの自由端が最も伸縮自在であるように、それらのレイアウトや伸張率を設定することが好ましい。
このような観点から、▲１▼立体ガード弾性部材の配列ピッチが自由端に近づくに従って総じて密になるように配すること、▲２▼自由端に配される端部弾性部材の伸長応力を、他の弾性部材よりも大きくすること、▲３▼自由端近辺の弾性部材のモジュラスを高くすること、例えば断面積を大きくしたりすること、などが効果的である。
【００１６】
立体ガード７は、図２（ａ）に示すように、左右両側の側部固定端７Ａ，７Ａが、それぞれ、吸収体４の左右両側縁端４ａ，４ａの近傍に位置している。側部固定端７Ａ，７Ａとは、立体ガード７における、おむつ１の長手方向の左右両側の固定端を意味し、両側部固定端７Ａ，７Ａを、吸収体４の左右両側縁端の近傍に位置させることにより、立体ガード７と表面シート２との間に形成される便や尿の保持用ポケットＰを、特に潰れ難く大容積のものとすることができる。
【００１７】
使い捨ておむつ１を図２（ａ）に示すように展開した状態において、各立体ガード７における左右両側の側部固定端７Ａ，７Ａと、腹側部Ａ又は背側部Ｂの左右の両側縁端との間の距離Ｗ２は、着用者が幼児か成人かの別等により適宜に決定することができるが、例えば、おむつ幅方向の全幅Ｗ３の８５％以下、特に５０〜７０％とすることが好ましい。
【００１８】
各立体ガード７は、幼児用おむつの場合、該立体ガード７により排泄ポイントが覆われるのを防止すると共に、保持用ポケットＰ内の容積を充分なものとする観点、及び経済性等の観点から、おむつの長手方向に一致する方向の長さが２０〜１５０ｍｍであることが好ましい。
尚、側部固定端７Ａは、吸収体４の左右側縁端４ａよりもおむつ１の幅方向内方側に５ｃｍの位置からおむつ１の幅方向外方側に５ｃｍの位置までの範囲内に位置していることが好ましい。
【００１９】
また、立体ガード７におけるウエスト開口縁部５３寄りの端部固定端７Ｂは、吸収性本体１０のエンドフラップの上面に設けても良く（図３，４参照）、また、吸収体４上や外層材１１の上面に設けても良い。パンツ型おむつが、吸収性本体１０と外層材１１との組合せからなる場合には、立体ガード形成用のシート材７２における端部固定端７Ｂよりもウエスト開口縁部５３側の部分により、吸収性本体１０の長手方向の端部が覆われていることが好ましい。
【００２０】
本実施形態のおむつ１においては、立体ガード形成用のシート材７２における左右の側部固定端７Ａ，７Ａよりも左右外方に位置する部分及び端部固定端７Ｂよりもウエスト開口縁部５３側の外方に位置する部分は、それぞれ、その全域に亘って吸収性本体１０又は外層材１１上に固定されている。尚、シート材７２にの固定された部分は、その全域に亘って部分的に接着されていることが好ましいが、その一部分のみが固定されていても良いし、固定されていなくても良い。
【００２１】
立体ガード形成用のシート材７２を吸収性本体１０や外層材１１上に固定する手段としては、ホットメルト型接着剤やヒートシール、超音波シール等を用いることができる。尚、本実施形態のおむつ１においては、腹側部Ａにおける立体ガードの自由端の方が、背側部Ｂにおける立体ガードの自由端よりも、おむつ長手方向中央線Ｃ１寄りに位置している。
【００２２】
また、立体ガード７に配される複数本の立体ガード弾性部材７１は、立体ガード７における左右の側部固定端間に亘るように配されていることが好ましく、更に、複数本の立体ガード弾性部材７１の内の全部又は一部が、腹側部Ａ及び背側部Ｂの両側縁部同士が接合されて形成された左右のサイド接合部８，８間に亘るように配されていることが好ましい。複数本の立体ガード弾性部材を、立体ガード７における左右の側部固定端間に亘るように配することで、有効な保持用ポケットを効果的に形成することができ、複数本の立体ガード弾性部材７１の内の全部又は一部を、左右のサイド接合部間に亘るように配することで、立体ガード７を着用者の肌に特に良好に密着させることができる。
【００２３】
本発明においては、図３及び４に示すように、腹側部Ａ及び／又は背側部Ｂにおける吸収体４よりもおむつ１の外面Ｎ側に、複数本の胴回り部弾性部材５２がそれぞれ胴回り方向に沿って伸長状態で配設されていることが好ましい。
本実施形態の使い捨ておむつにおいては、腹側部Ａ及び背側部Ｂそれぞれにおける外層材１１の外層不織布１２と内層不織布１３との間に、複数本の胴回り部弾性部材５２，５２がそれぞれ伸長状態で挟持固定されている。
複数本の立体ガード弾性部材７１を備えた立体ガード７を配設することで、着用中に身体からおむつが浮き気味になるが、このような胴回り部弾性部材５２を配設することにより、そうした見た目の悪さを解決し、着用中の外観を向上させることができる。
【００２４】
但し、胴回り部弾性部材５２を配設した場合には、立体ガード７の内面に形成されるポケットＰが潰れ易くなることに注意を要する。ポケットＰが潰れてしまうようでは、本発明の漏れ防止効果を有効に発揮させることができなくなる。
そのため、立体ガード７と該立体ガードの外側に位置する部材（表面シート等）との間には、本発明の吸収性物品の着用時に、隙間が形成されていることが肝要である。そのための方法としては、厳密に言えば、吸収性物品を構成する材料の剛性や硬さなどの物性、使用する接着剤の使用箇所や量と深く関係があるが、最も重要な設計要素は部位Ｆに配設される弾性部材の物性と伸縮応力と伸張率である。吸収性物品に組み立てたあとで、部位Ｆに配設される胴回り部弾性部材は、外層材に接着固定されて吸収体の外側に配置されているため、伸張状態で配設しても、吸収性物品の構成部材の影響を受けるため収縮が阻害される。一方、立体ガード７に配設される弾性部材は、立体ガードを構成するシート材と接着剤の影響しか受けないため、収縮を阻害されにくい。そのため、立体ガードと吸収体（表面シート）との間には隙間が形成され、ポケットとして作用する。このように、構成する部材の影響を考慮して、立体ガードと、該立体ガードの外側に位置する部材（表面シート等）との間に隙間が形成されるように弾性部材の設計をすることが好ましい。
【００２５】
本実施形態のおむつ１における各胴回り部弾性部材５２は、何れも着用者の胴回りに位置する胴回り部Ｅの全周に亘って伸縮可能な状態で配設されているが、吸収体４と重なる部位においてのみ弾性伸縮性を発現するように配設しても良い。また、胴回り部弾性部材５２は、吸収体４と重なる部位を除く部分にのみ配設しても良いし、吸収体４と重なる部位を除く部分においてのみ弾性伸縮性を発現するように配設しても良い。
【００２６】
また、おむつ１における胴回り部弾性部材５２は、吸収体４が配された部分を横切るように配置されているが、吸収体４の長手方向の長さを短くしたり、吸収体４を腹側部Ａ側又は背側部Ｂ側に偏倚させて配設することで、吸収体４を横切らないように胴回り部弾性部材５２を配設しても良い。また、胴回り部弾性部材５２を、湾曲させて配設することも有効である。
【００２７】
また、吸収性本体１０の長手方向の左右両側には、自由部分を有する側方カフス８’，８’が形成されており、各側方カフス８’の自由端の近傍に伸縮可能に弾性部材８１を配置したものが好ましい。特に、液抵抗性ないし液不透過性で且つ通気性の素材で形成されて立体カフスが形成されていることが好ましい。
【００２８】
また、立体ガード７を形成するシート材７２には、カブレ防止成分を付着又は含浸させておくことが好ましい。カブレ防止成分を付着又は含浸させることで、立体ガードが広い領域で肌に接触しても、おむつかぶれを効果的に抑制することができる。カブレ防止成分としては、おむつかぶれを抑制し得るものであれば良く、例えば抗炎症効果剤やバリア剤、抗菌剤等を挙げることができる。
【００２９】
以下に、本実施形態のおむつ１の構成部材の形成材料について説明する。
外層材１１を構成するシート材１２，１３及び立体ガード形成用のシート材７２は、それぞれ、好ましくは液抵抗性、液不透過性で透湿性、通気性を有し、肌着に近い感触の高可撓性シート材であり、具体的には、織布、不織布、フィルム、透湿フィルム、開孔フィルムや、これらの複合材を用いることができる。
【００３０】
本発明における立体ガードは、広い面積で着用者の肌に密着するため、肌触りが良く、低刺激性で、高通気性の材料でムレにくく形成されていることが好ましく、立体ガード形成用のシート材に不織布を用いる場合には、低刺激性とするために、構成繊維の繊度を、５０デニール以下、特に１０デニール以下とすることが好ましい。
また、立体ガード弾性部材７１の形成素材としては、天然ゴム、スパンデックス、発泡体、フィルムタイプのゴム等を用いることができ、その形態としては断面形状が、矩形、正方形、円形、多角形状の糸状のものやテープ状のものが好ましい。また、熱によって可塑化する性質の弾性部材も好適に用いられる。また、側方カフス形成材及び側方カフスに配される弾性部材８１としては、それぞれ、立体ガード７におけるのと同様のものを用いることができる。
【００３１】
その他の構成部材、例えば  表面シート２、防漏シート３、吸収体４、ウエスト部弾性部材５１、レッグ部弾性部材６１等としては、それぞれ通常使い捨ておむつに用いられるものを特に制限なく用いることができる。
【００３２】
本実施形態の使い捨ておむつは、通常のパンツ型の使い捨ておむつと同様にして使用することができる。
そして、本実施形態の使い捨ておむつによれば、下記の▲１▼〜▲４▼の作用及び上記構成により奏されるこれら以外の作用の何れか一以上の作用が奏されることにより、ウエスト開口部からの便や尿のモレが効果的に阻止され、優れたモレ防止効果が得られる。
▲１▼複数本の立体ガード弾性部材が配された立体ガードにより、吸収性本体がおむつ１の外面側に凸状に湾曲し、立体ガードと表面シートとの間に、大きな便や尿の保持用ポケットが形成される。
▲２▼立体ガードに、複数本の立体ガード弾性部材が配されているため、形成された便や尿の保持用ポケットが、着用中においても塞がり難い。
▲３▼立体ガードが着用者の肌に広い面積でぴったりとフィットし、優れたモレ抵抗シールが形成される。
▲４▼立体ガードにおける各立体ガード弾性部材が配された部分が多段の障壁を形成しているので、便や尿が立体ガードの自由端を乗り越えても、ウエスト開口部からのモレに繋がり難い。
【００３３】
尚、本発明は、上記実施形態に制限されず、適宜変更可能である。例えば、背側部Ｂ及び腹側部Ａの何れか一方にのみ上記構成の立体ガードを形成しても良い。また、立体ガード及び立体ガードに関連して説明した各説明は、背側部Ｂ又は腹側部Ａの何れか一方にのみ立体ガードを形成する場合には、そのそれぞれに適用され、背側部Ｂ及び腹側部Ａの両方に立体ガードを設ける場合であって、特に両立体ガードに限定していない場合には、各立体ガードに各別に適用される。また、背側部Ｂ及び腹側部Ａの何れか一方が具備する要件は、各要件毎に他方に適宜適用することができる。
【００３４】
【発明の効果】
本発明の吸収性物品は、ウエスト開口部からの便や尿のモレを効果的に防止することができ、モレ防止効果に優れている。
【図面の簡単な説明】
【図１】図１は、本発明の吸収性物品としての使い捨ておむつの一実施形態を一部破断して示す斜視図である。
【図２】図２（ａ）は、図１の使い捨ておむつの展開図であり、図２（ｂ）は、図２（ａ）のＸ−Ｘ線概略断面図である。
【図３】図３は、本発明の一実施形態である使い捨ておむつにおける、ウエスト開口縁部から胴回り部中央にかけてを模式的に示す縦断面図である。
【図４】図４は、本発明の他の実施形態である使い捨ておむつにおける、ウエスト開口縁部から胴回り部中央にかけてを模式的に示す縦断面図である。
【符号の説明】
１  吸収性物品
１０    吸収性本体
２  表面シート
３  防漏シート
４  吸収体
５  ウエスト開口部
５１  ウエスト部弾性部材
５２  胴回り部弾性部材
５３  ウエスト開口縁部
６  レッグ開口部
６１  レッグ部弾性部材
７  立体ガード
７１  立体ガード弾性部材
７Ａ  側部固定端
７Ｂ  端部固定端
１１  外層材
１２  外層不織布
１３  内層不織布
Ａ    腹側部
Ｂ    背側部
Ｃ    股下部
Ｄ    ウエスト部
Ｅ    胴回り部
【図１】
0004215370.tif 000002
【図２】
0004215370.tif 000003
【図３】
0004215370.tif 000004
【図４】
0004215370.tif 000005